(57)【要約】  【課題】  呼出元の病室付近にいる看護士に患者の容態を迅速に確認させることができるナースコール装置を提供する。  【解決手段】  病室３毎に設置され、呼出音を出力する鳴動回路１６を有する病室アダプタ４と、病室３内の病床毎に設置されたナースコール子機２とを備え、鳴動回路１６は、ナースコール子機２によって呼出が発生したときに作動するようにし、鳴動回路１６による鳴動の条件を病室アダプタ４毎に設定する鳴動設定手段を構成する設定入力部２６を設け、病室アダプタ４の設置場所や時間帯に応じて鳴動回路１６の作動を制限するようにした。【選択図】  図１
2006034718.tif 000002
【特許請求の範囲】
【請求項１】
病室毎に設置され、呼出音を出力する鳴動回路を有する病室アダプタと、前記病室内の病床毎に設置されたナースコール子機とを備え、
前記鳴動回路は、前記ナースコール子機によって呼出が発生したときに作動するようにしたことを特徴とするナースコール装置。
【請求項２】
前記鳴動回路による鳴動の条件を前記病室アダプタ毎に設定する鳴動設定手段を備えたことを特徴とする請求項１に記載のナースコール装置。
【請求項３】
前記病室アダプタは、前記ナースコール子機による呼出が可能か否かを判断する呼出判断部を有し、
前記鳴動回路は、前記ナースコール子機によって呼出が発生したときに前記呼出判断部によって前記ナースコール子機による呼出が可能でないと判断された場合に作動するようにしたことを特徴とする請求項１または請求項２に記載のナースコール装置。
【請求項４】
前記病室アダプタは、音声信号を生成する音声信号生成回路を有し、
前記音声信号生成回路は、前記ナースコール子機によって呼出が発生したときに前記呼出判断部によって前記ナースコール子機による呼出が可能でないと判断された場合に前記音声信号を前記ナースコール子機に向けて送信するようにしたことを特徴とする請求項３に記載のナースコール装置。
【発明の詳細な説明】
【技術分野】
【０００１】
本発明は、病棟内で患者が看護士を呼び出すためのナースコール装置に関するものである。
【背景技術】
【０００２】
従来のナースコール装置は、図７に示すように、病床毎に設置されるナースコール子機５０と、病室５１毎の廊下側に設置される病室アダプタ５２と、制御装置５３と、ナースコール親機５４とを備えている。
【０００３】
ナースコール子機５０は、呼出ボタン６０および呼出確認灯６１を有し、病室アダプタ５２は、呼出状態を表示するＬＥＤ表示部６２と、呼出状態を解除する復帰ボタン６３と、これらを制御するマイクロコンピュータ(Micro computer、以下単に「マイコン」と記載する。) ６４とを有している。また、制御装置５３は、病室アダプタ５２およびナースコール親機５４を制御するマイコン６５を有し、ナースコール親機５４は、看護士が患者と通話するための受話器６６と、呼出元のベッド番号等を表示する液晶表示部６７とを有している。
【０００４】
このようなナースコール装置においては、ナースコール子機５０の呼出ボタン６０が押下されると呼出確認灯６１が点灯するとともに、病室アダプタ５２のマイコン６４によってナースコール子機５０による呼出が検出される。ナースコール子機５０による呼出が検出されると、ＬＥＤ表示部６２がマイコン６４によって点滅するよう制御され、病室アダプタ５２近辺にいる看護士にナースコール子機５０からの呼出が認知される（例えば、特許文献１参照）。
【特許文献１】特開２０００−１０２５７５号公報
【発明の開示】
【発明が解決しようとする課題】
【０００５】
しかしながら、従来のナースコール装置においては、呼出元の病室５１近辺に看護士がいても、病室アダプタ５２に対する看護士の姿勢によって呼出を認知することができない場合があり、患者の容態を迅速に確認することを妨げるといった問題があった。
【０００６】
本発明は、従来の問題を解決するためになされたもので、呼出元の病室付近にいる看護士に患者の容態を迅速に確認させることができるナースコール装置を提供することを目的とする。
【課題を解決するための手段】
【０００７】
本発明のナースコール装置は、病室毎に設置され、呼出音を出力する鳴動回路を有する病室アダプタと、前記病室内の病床毎に設置されたナースコール子機とを備え、前記鳴動回路は、前記ナースコール子機によって呼出が発生したときに作動するようにした構成を有している。
【０００８】
この構成により、病室毎に呼出音を出力することができるため、病室付近にいる看護士に患者の容態を迅速に確認させることができる。
【０００９】
また、本発明のナースコール装置は、前記鳴動回路による鳴動の条件を前記病室アダプタ毎に設定する鳴動設定手段を備えた構成を有している。
【００１０】
この構成により、鳴動回路による鳴動の条件を設定できるようにしたため、病室アダプタの設置場所や時間帯に応じて鳴動回路の作動を制限することができる。
【００１１】
また、本発明のナースコール装置は、前記病室アダプタは、前記ナースコール子機による呼出が可能か否かを判断する呼出判断部を有し、前記鳴動回路は、前記ナースコール子機によって呼出が発生したときに前記呼出判断部によって前記ナースコール子機による呼出が可能でないと判断された場合に作動するようにした構成を有している。
【００１２】
この構成により、ナースコール子機から呼出が発生したときには、ナースコール子機による呼出が可能か否かを判断し、ナースコール子機による呼出が可能でなくとも鳴動回路が呼出音を出力するようにしたため、病室付近にいる看護士に患者の容態を確認させることができる。
【００１３】
また、本発明のナースコール装置は、前記病室アダプタは、音声信号を生成する音声信号生成回路を有し、前記音声信号生成回路は、前記ナースコール子機によって呼出が発生したときに前記呼出判断部によって前記ナースコール子機による呼出が可能でないと判断された場合に前記音声信号を前記ナースコール子機に向けて送信するようにした構成を有している。
【００１４】
この構成により、ナースコール子機から呼出が発生したときに、ナースコール子機による呼出が可能でない場合には、ナースコール子機から所定の音声を出力するようにしたため、患者はナースコール装置が機能停止状態であることを認識し、即座に他の看護要請を行うことができ、応答されない呼出に対して患者が待たされることを防止することができる。
【発明の効果】
【００１５】
本発明は、呼出音を出力する鳴動回路を病室毎に設置される病室アダプタに設けることにより、呼出元の病室付近にいる看護士に患者の容態を迅速に確認させることができるナースコール装置を提供することができるものである。
【発明を実施するための最良の形態】
【００１６】
以下、本発明の実施の形態について、図面を参照して説明する。
【００１７】
（第１の実施の形態）
本発明の第１の実施の形態のナースコール装置を図１に示す。
【００１８】
図１において、ナースコール装置１は、病床毎に設置されるナースコール子機２と、病室３毎の廊下側等に設置される病室アダプタ４と、ナースステーションに設置されるナースコール親機５と、ナースコール子機２、病室アダプタ４およびナースコール親機５を制御する制御装置６とを備えている。
【００１９】
なお、本発明のナースコール装置は、複数のナースコール子機、複数の病室アダプタ、および複数のナースコール親機を備えることができるが、発明を理解しやすくするため、それぞれ１つずつ備えているものとして以下に説明する。
【００２０】
ナースコール子機２は、看護士を呼び出すために患者等によって押下される呼出ボタン１０と、ナースコール装置１が呼出状態にあるか否かを確認する呼出確認灯１１と、患者が看護士と通話するためのマイクロホン１２およびスピーカ１３とを有している。
【００２１】
病室アダプタ４は、ナースコール子機２によって呼出があった旨を表示するＬＥＤ表示部１５と、呼出音を出力するブザーやメロディＩＣ等の鳴動回路１６と、ナースコール装置１の呼出状態を解除する復帰ボタン１７と、ＬＥＤ表示部１５および鳴動回路１６等を制御するマイコン１８とを有している。
【００２２】
ナースコール親機５は、看護士が患者と通話するための受話器２０と、呼出元のベッド番号等を表示する液晶表示部２１と、呼出音を出力するブザー等の鳴動回路２２とを有している。
【００２３】
制御装置６は、ナースコール子機２、病室アダプタ４およびナースコール親機５を制御するための制御信号を生成するマイコン２５と、鳴動回路１６による鳴動の条件を病室アダプタ４毎に設定する鳴動設定手段を構成する設定入力部２６とを有している。
【００２４】
ここで、鳴動回路１６による鳴動の条件とは、本実施形態においては、鳴動回路１６を作動させるための鳴動作動信号をマイコン２５から病室アダプタ４に送信するための条件であり、病室アダプタ４に対する鳴動作動信号の送信の許可または禁止を表すものでもよく、病室アダプタ４に対する鳴動作動信号の送信を許可または禁止する時間帯を表すものでもよい。
【００２５】
また、設定入力部２６は、鳴動回路１６によって出力される呼出音の大きさや、メロディや擬音等の呼出音の音色を病室アダプタ４毎に設定できるようにしてもよい。この場合には、呼出音の大きさや音色を表す情報を鳴動作動信号に加えるようにマイコン２５を構成する。
【００２６】
以上のように構成されたナースコール装置１について、図２を用いて、その動作を説明する。なお、以下に説明するナースコール装置１の動作は、患者等によってナースコール子機２の呼出ボタン１０が押下されたときにスタートする。
【００２７】
ナースコール子機２の呼出ボタン１０が押下されると、呼出ボタン１０の押下を表す呼出信号がナースコール子機２から病室アダプタ４に向けて送信され（Ｓ１）、呼出確認灯１１が点灯する（Ｓ２）。ここで、呼出信号には、ナースコール子機２を識別するための子機識別情報が含まれる。
【００２８】
ナースコール子機２によって送信された呼出信号が病室アダプタ４のマイコン１８に受信されると、ＬＥＤ表示部１５がマイコン１８によって制御され、ＬＥＤ表示部１５が点滅する（Ｓ３）とともに、マイコン１８によって呼出信号が制御装置６に向けて送信される（Ｓ４）。
【００２９】
病室アダプタ４のマイコン１８によって送信された呼出信号が制御装置６のマイコン２５に受信されると、マイコン２５によって呼出信号がナースコール親機５に向けて送信されるとともに（Ｓ５）、ナースコール親機５を呼び出したことを表す呼出確認信号がマイコン２５によって病室アダプタ４に向けて送信される（Ｓ６）。
【００３０】
制御装置６のマイコン２５によって送信された呼出信号がナースコール親機５に受信されると、呼出信号に含まれる子機識別情報に基づいて液晶表示部２１に呼出元のベッド番号等が表示され（Ｓ７）、鳴動回路２２によって呼出音が出力される（Ｓ８）。
【００３１】
一方、制御装置６のマイコン２５によって送信された呼出確認信号が病室アダプタ４のマイコン１８に受信される。
【００３２】
また、病室アダプタ４のマイコン１８によって送信された呼出信号が制御装置６のマイコン２５に受信されると、設定入力部２６によって設定された鳴動の条件に基づいて、病室アダプタ４の鳴動回路１６を作動させるか否かがマイコン２５によって判断され（Ｓ１０）、鳴動回路１６を作動させると判断された場合には、鳴動作動信号がマイコン２５によって病室アダプタ４に向けて送信される（Ｓ１１）。
【００３３】
制御装置６のマイコン２５によって送信された鳴動作動信号が病室アダプタ４のマイコン１８に受信されると、鳴動回路１６が作動するようマイコン１８によって制御され、鳴動回路１６によって呼出音が出力される（Ｓ１２）。
【００３４】
ここで、ナースコール親機５で看護士が受話器２０を取る等して応答操作を行うと（Ｓ１３）、鳴動回路２２による呼出音の出力が停止するとともに（Ｓ１４）、応答を表す応答信号が制御装置６に向けて送信される（Ｓ１５）。
【００３５】
ナースコール親機５によって送信された応答信号が制御装置６のマイコン２５に受信されると、通話接続を要求する接続信号が制御装置６のマイコン２５によって病室アダプタ４およびナースコール親機５に向けて送信される（Ｓ１６）。
【００３６】
制御装置６のマイコン２５によって送信された接続信号が病室アダプタ４のマイコン１８に受信されると、マイコン１８によってＬＥＤ表示部１５が制御され、ＬＥＤ表示部１５が消灯し（Ｓ１７）、マイコン１８によって鳴動回路１６が制御され、鳴動回路１６による呼出音の出力が停止し（Ｓ１８）、接続信号がマイコン１８によってナースコール子機２に向けて送信される（Ｓ１９）。
【００３７】
接続信号がナースコール親機５およびナースコール子機２に受信されると、ナースコール子機２の呼出確認灯１１が消灯し（Ｓ２０）、ナースコール親機５の受話器２０とナースコール子機２のマイクロホン１２およびスピーカ１３とを介した通話が可能になる（Ｓ２１）。
【００３８】
このような本発明の第１の実施の形態のナースコール装置１によれば、呼出音を出力する鳴動回路１６を病室３毎に設置される病室アダプタ４に設けることにより、病室３付近にいる看護士に患者の容態を迅速に確認させることができる。
【００３９】
また、鳴動回路１６による鳴動の条件を設定する鳴動設定手段を構成する設定入力部２６を制御装置６に設けることにより、病室アダプタ４の設置場所や時間帯が静粛を必要とするか否か等といったように、病室アダプタ４の設置場所や時間帯に応じて鳴動回路１６の作動を制限することができる。
【００４０】
（第２の実施の形態）
本発明の第２の実施の形態のナースコール装置を図３に示す。なお、本発明の第２の実施の形態におけるナースコール装置３０においては、本発明の第１の実施の形態におけるナースコール装置１の構成要素と同一の構成要素に同一の符号を付して、その説明を省略する。
【００４１】
図３において、ナースコール装置３０は、ナースコール子機２と、病室３毎の廊下側等に設置される病室アダプタ３１と、ナースコール親機５と、制御装置６とを備えている。
【００４２】
病室アダプタ３１は、本発明の第１の実施の形態におけるナースコール装置１を構成する病室アダプタ４に対して、マイコン１８に代えてマイコン３２を有する点が相違する。マイコン３２は、マイコン１８に対して、ナースコール子機２による呼出が可能か否かを判断する呼出判断部を有する点が相違する。
【００４３】
具体的には、マイコン３２は、制御装置６に呼出信号を送信してから予め定められた時間内に呼出確認信号が制御装置６から送信された場合には、ナースコール子機２による呼出が可能であると判断し、予め定められた時間内に呼出確認信号が制御装置６から送信されなかった場合には、ナースコール子機２による呼出が可能でないと判断するようになっている。
【００４４】
ここで、ナースコール子機２による呼出が可能でない場合とは、開院後の機能設定変更のためのメンテナンス作業や制御装置６の故障等により、病室アダプタ３１が制御装置６と信号のやり取りを行えない状態にあるときなどがある。なお、制御装置６が病室アダプタ３１の駆動電圧を供給するようになっている場合には、制御装置６は、メンテナンス作業や故障等の状態であっても、病室アダプタ３１の駆動電圧を供給できるよう構成する。
【００４５】
また、マイコン３２は、ナースコール子機２による呼出が可能でないと判断したときには、鳴動回路１６が作動するよう鳴動回路１６を制御するようになっている。
【００４６】
以上のように構成されたナースコール装置３０について、図４を用いて、ナースコール子機２による呼出が可能でない場合の動作を説明する。なお、ナースコール子機２による呼出が可能な場合の動作は、本発明の第１の実施の形態で図２を用いて説明したナースコール装置１の動作と同じであるので説明を省略する。
【００４７】
また、以下に説明するナースコール子機２による呼出が可能でない場合のナースコール装置３０の動作は、患者等によってナースコール子機２の呼出ボタン１０が押下されたときにスタートする。
【００４８】
ナースコール子機２の呼出ボタン１０が押下されると、呼出ボタン１０の押下を表す呼出信号がナースコール子機２から病室アダプタ３１に向けて送信され（Ｓ３０）、呼出確認灯１１が点灯する（Ｓ３１）。ここで、呼出信号には、ナースコール子機２を識別するための子機識別情報が含まれる。
【００４９】
ナースコール子機２によって送信された呼出信号が病室アダプタ３１のマイコン３２に受信されると、ＬＥＤ表示部１５がマイコン３２によって制御され、ＬＥＤ表示部１５が点滅し（Ｓ３２）、マイコン３２によって計時が開始される（Ｓ３３）とともに、呼出信号が制御装置６に向けて送信される（Ｓ３４）。
【００５０】
次に、病室アダプタ３１において、制御装置６に呼出信号を送信してから予め定められた時間内に呼出確認信号が制御装置６から送信されたか否かがマイコン３２によって判断され（Ｓ３５）、予め定められた時間内に呼出確認信号が制御装置６から送信されなかったと判断された場合には、鳴動回路１６が作動するようマイコン３２によって制御され、鳴動回路１６によって呼出音が出力される（Ｓ３６）。
【００５１】
なお、制御装置６に呼出信号を送信してから予め定められた時間内に呼出確認信号が制御装置６から送信されたとマイコン３２によって判断された場合には、本発明の第１の実施の形態で図２を用いて説明したナースコール装置１と同様に動作する。
【００５２】
このような本発明の第２の実施の形態のナースコール装置３０によれば、ナースコール子機２による呼出が可能か否かを判断する呼出判断部を病室３毎に設置される病室アダプタ３１のマイコン３２に設け、ナースコール子機２から呼出が発生したときには、制御装置６が機能停止中または故障中であったとしても鳴動回路１６が呼出音を出力するようにしたため、病室３付近にいる看護士に患者の容態を確認させることができる。
【００５３】
（第３の実施の形態）
本発明の第３の実施の形態のナースコール装置を図５に示す。なお、本発明の第３の実施の形態におけるナースコール装置４０においては、本発明の第２の実施の形態におけるナースコール装置３０の構成要素と同一の構成要素に同一の符号を付して、その説明を省略する。
【００５４】
図５において、ナースコール装置４０は、ナースコール子機２と、病室３毎の廊下側等に設置される病室アダプタ４１と、ナースコール親機５と、制御装置６とを備えている。
【００５５】
病室アダプタ４１は、本発明の第２の実施の形態におけるナースコール装置３０を構成する病室アダプタ３１に対して、音声信号を生成する音声信号生成回路４２を有する点が相違する。
【００５６】
音声信号生成回路４２は、ナースコール子機２によって呼出が発生したときにマイコン３２によってナースコール子機２による呼出が可能でないと判断された場合に音声信号をナースコール子機２に向けて送信するようになっている。ここで、音声信号は、制御装置６が機能停止中または故障中であることを示す「しばらくお待ち下さい。」等といった所定の音声を表す。なお、音声信号生成回路４２は、メモリ装置等の記憶媒体に記憶された音声データに基づいて音声信号を生成するようにしてもよい。
【００５７】
ナースコール子機２は、音声信号生成回路４２によって生成された音声信号を音声を以ってスピーカ１３から出力するようになっている。
【００５８】
以上のように構成されたナースコール装置４０について、図６を用いて、ナースコール子機２による呼出が可能でない場合の動作を説明する。なお、ナースコール子機２による呼出が可能な場合の動作は、本発明の第１の実施の形態で図２を用いて説明したナースコール装置１の動作と同じであるので説明を省略する。
【００５９】
また、以下に説明するナースコール子機２による呼出が可能でない場合のナースコール装置４０の動作は、患者等によってナースコール子機２の呼出ボタン１０が押下されたときにスタートする。
【００６０】
ナースコール子機２の呼出ボタン１０が押下されると、呼出ボタン１０の押下を表す呼出信号がナースコール子機２から病室アダプタ４１に向けて送信され（Ｓ４０）、呼出確認灯１１が点灯する（Ｓ４１）。ここで、呼出信号には、ナースコール子機２を識別するための子機識別情報が含まれる。
【００６１】
ナースコール子機２によって送信された呼出信号が病室アダプタ４１のマイコン３２に受信されると、ＬＥＤ表示部１５がマイコン３２によって制御され、ＬＥＤ表示部１５が点滅し（Ｓ４２）、マイコン３２によって計時が開始される（Ｓ４３）とともに、呼出信号が制御装置６に向けて送信される（Ｓ４４）。
【００６２】
次に、病室アダプタ４１において、制御装置６に呼出信号を送信してから予め定められた時間内に呼出確認信号が制御装置６から送信されたか否かがマイコン３２によって判断され（Ｓ４５）、予め定められた時間内に呼出確認信号が制御装置６から送信されなかったと判断された場合には、鳴動回路１６が作動するようマイコン３２によって制御され、鳴動回路１６によって呼出音が出力される（Ｓ４６）とともに、音声信号生成回路４２によって音声信号が生成され（Ｓ４７）、生成された音声信号がナースコール子機２に向けて送信される（Ｓ４８）。
【００６３】
病室アダプタ４１の音声信号生成回路４２によって送信された音声信号がナースコール子機２に受信されると、受信された音声信号が音声を以ってスピーカ１３から出力される（Ｓ４９）。
【００６４】
なお、制御装置６に呼出信号を送信してから予め定められた時間内に呼出確認信号が制御装置６から送信されたとマイコン３２によって判断された場合には、本発明の第１の実施の形態で図２を用いて説明したナースコール装置１と同様に動作する。
【００６５】
このような本発明の第３の実施の形態のナースコール装置４０によれば、音声信号を生成する音声信号生成回路４２を病室３毎に設置される病室アダプタ３１に設け、ナースコール子機２から呼出が発生したときに、制御装置６が機能停止中または故障中であった場合には、ナースコール子機２から所定の音声を出力するようにしたため、患者はナースコール装置４０が機能停止状態であることを認識し、即座に他の看護要請を行うことができ、応答されない呼出に対して患者が待たされることを防止することができる。
【産業上の利用可能性】
【００６６】
以上のように、本発明にかかるナースコール装置は、呼出音を出力する鳴動回路を病室毎に設置される病室アダプタに設けることにより、呼出元の病室付近にいる看護士に患者の容態を迅速に確認させることができるという効果を有し、病棟内で患者が看護士を呼び出すためのナースコール装置等として有用である。
【図面の簡単な説明】
【００６７】
【図１】本発明の第１の実施の形態におけるナースコール装置のブロック図
【図２】本発明の第１の実施の形態におけるナースコール装置の動作説明のためのシーケンス図
【図３】本発明の第２の実施の形態におけるナースコール装置のブロック図
【図４】本発明の第２の実施の形態におけるナースコール装置の動作説明のためのシーケンス図
【図５】本発明の第３の実施の形態におけるナースコール装置のブロック図
【図６】本発明の第３の実施の形態におけるナースコール装置の動作説明のためのシーケンス図
【図７】従来のナースコール装置のブロック図
【符号の説明】
【００６８】
１、３０、４０  ナースコール装置
２、５０  ナースコール子機
３、５１  病室
４、３１、４１、５２  病室アダプタ
５、５４  ナースコール親機
６、５３  制御装置
１０、６０  呼出ボタン
１１、６１  呼出確認灯
１２  マイクロホン
１３  スピーカ
１５、６２  ＬＥＤ表示部
１６、２２  鳴動回路
１７、６３  復帰ボタン
１８、２５、３２、６４、６５  マイコン
２０、６６  受話器
２１、６７  液晶表示部
２６  設定入力部
４２  音声信号生成回路
【図１】
2006034718.tif 000003
【図２】
2006034718.tif 000004
【図３】
2006034718.tif 000005
【図４】
2006034718.tif 000006
【図５】
2006034718.tif 000007
【図６】
2006034718.tif 000008
【図７】
2006034718.tif 000009